【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
直立側壁（１２）を有するハウジングと、
第１の活性材料を含む第１の電極（２２２）と、
第２の活性材料を含み、前記第１の電極（２２２）内に配置された第２の電極（２２６）と、
前記第１の電極（２２２）と第２の電極（２２６）との間に配置されたセパレータ（２２４）と、
電解質と
を備え、前記第１の電極（２２２）及び第２の電極（２２６）の少なくとも一方は、固体電極体を含み、
前記第１の電極（２２２）及び第２の電極（２２６）の少なくとも一方は、前記第１の電極（２２２）及び第２の電極（２２６）の他方が配置されるキャビティの表面を定める表面を有し、
前記キャビティの表面は、前記固体電極体の表面に複数の凹型領域及び凸型領域を形成する、各々がベース及び先端を有する、半径方向に延びる複数のローブ（２２３；２２７）を有し、
各凸型領域は、０．７６ｍｍ（０．０３０インチ）より小さい半径が無く、
各凹型領域は、０．７６ｍｍ（０．０３０インチ）より小さい半径が無く、
各ローブ（２２３；２２７）は、前記ベースから前記先端まで連続的に減少する幅を有する
ことを特徴とする、電気化学バッテリ電池（２１０）。
【請求項２】
各凹型面は、１．５２４ｍｍ（０．０６０インチ）より小さい半径が無い
ことを特徴とする、請求項１に記載の電池（２１０）。
【請求項３】
前記第１の電極（２２２）だけが、固体電極体を含む
ことを特徴とする、請求項１に記載の電池（２１０）。
【請求項４】
前記第１の電極（２２２）及び第２の電極（２２６）の両方が、固体電極体を含む
ことを特徴とする、請求項１に記載の電池（２１０）。
【請求項５】
前記電池は、前記第１の電極の極性と同じ極性を有する第３の電極を備え、前記第１と第３の電極の両方は、前記第２の電極が内部に配置されるキャビティを定める固体電極体を含み、前記第１の電極は前記キャビティの外部表面を構成し、前記第３の電極は前記キャビティの内部表面を構成する
ことを特徴とする、請求項１に記載の電池（２１０）。
【請求項６】
前記第３の電極は、前記キャビティの内部表面に複数の凹型領域を形成する、半径方向に延びる複数のローブを含む
ことを特徴とする、請求項５に記載の電池（２１０）。
【請求項７】
前記電池は、前記第２の電極（２２６）の極性と同じ極性を有する第３の電極を備え、前記第２と第３の電極の両方は、前記第１の電極が内部に配置されるキャビティを定める固体電極体を含み、前記第３の電極は前記キャビティの外部表面を構成し、前記第２の電極（２２６）は前記キャビティの内部表面を構成する
ことを特徴とする、請求項１に記載の電池（２１０）。
【請求項８】
前記第１の電極（２２２）は、最小半径方向厚さｄ2を備えた固体物を含み、
該第１の電極（２２２）の各ローブ（２２３）が、前記第１の電極（２２２）の表面上の２点間で測定された厚さｄ1を有し、前記２点の各々は、前記電池の長手方向軸（３６）から前記第１の電極（２２２）の最も外側の内部表面までの半径方向距離と前記電池の長手方向軸（３６）から前記第１の電極（２２２）の最も内側の内部表面までの半径方向距離との平均値に等しい前記電池の長手方向軸（３６）からの半径方向距離であり、
比率ｄ1：ｄ2が２．５：１より大きいが、８．１：１より大きくない
ことを特徴とする、請求項１に記載の電池（２１０）。
【請求項９】
ｄ1：ｄ2が少なくとも３．０：１である
ことを特徴とする、請求項８に記載の電池（２１０）。
【請求項１０】
ｄ1：ｄ2が少なくとも４．０：１である
ことを特徴とする、請求項８に記載の電池（２１０）。
【請求項１１】
前記第１の電極は単一の固体物を含み、ｄ1：ｄ2が少なくとも６．５：１である
ことを特徴とする、請求項１０に記載の電池（２１０）。
【請求項１２】
前記第１と第２の活性材料の一方が二酸化マンガンから構成され、前記第１と第２の活性材料の他方が亜鉛から構成され、前記電解質が水酸化カリウムの水溶液から構成される
ことを特徴とする、請求項１に記載の電池（２１０）。
【請求項１３】
前記第１の電極（２２２）は、外部表面と内部表面とを有する固体物から構成され、
前記第１の電極（２２２）の外部表面が、前記ハウジング（１２）の直立側壁の形状と共形の形状を有し、
前記第２の電極（２２６）は、該第１の電極（２２２）のキャビティ内に配置され、該キャビティの形状と、前記第１の電極と前記第２の電極（２２２；２２６）との間に配置される前記セパレータ（２２４）とによって定められる外形を有し、
前記第１の電極（２２２）は複数のローブ（２２３）を含み、各ローブ（２２３）が半径方向に内側に延びて、前記第１の電極（２２２）の内部表面に複数の凹型領域を形成する
ことを特徴とする、請求項１に記載の電池（２１０）。
【請求項１４】
前記電池は一次電池であり、前記第１の活性材料は二酸化マンガンから構成され、前記第２の活性材料は亜鉛から構成され、前記電解質は水酸化カリウムの水溶液から構成され、
前記第１の電極のローブ（２２３）によって形成された各凹型領域は、前記電池の長手方向軸（３６）から延びる半径方向の中心線と、前記半径方向の中心線に垂直で、前記半径方向の中心線から隣接する第１の電極ローブ（２２３）の前記外部表面までの距離ｗ1とを有し、
前記距離ｗ1は、前記電池の長手方向軸（３６）からの半径方向距離が増大するときに増大する
ことを特徴とする、請求項１３に記載の電池（２１０）。
【請求項１５】
前記第１の電極（１２２；２２２）は正電極である
ことを特徴とする、請求項１４に記載の電池（２１０）。
【請求項１６】
前記電池は円筒形状であり、前記第１の電極の外径は、１２．７ｍｍと１４．０ｍｍを含めたこれらの間である
ことを特徴とする、請求項１４に記載の電池（２１０）。
【請求項１７】
前記電池は、長手方向軸（３６）、前記長手方向軸（３６）から前記第１の電極（２２２）の最も外側の内部表面までの半径方向距離ｒ1、前記長手方向軸から前記第１の電極の最も内側の内部表面までの半径方向距離ｒ2、及び前記第１の電極の最も外側の内部表面と前記外部表面との間の最小の半径方向厚さｄ2、を有するＬＲ６サイズの円筒形アルカリ二酸化亜鉛／マンガン電池である
ことを特徴とする、請求項１６に記載の電池（２１０）。
【請求項１８】
前記第１の電極（２２２）は、ｒ1が少なくとも５．６０ｍｍで且つ６．３０ｍｍ以下であり、ｒ2が少なくとも３．２０ｍｍで且つ３．７０ｍｍ以下であり、ｄ2が少なくとも０．４０ｍｍで且つ１．２０ｍｍ以下である、２つ又はそれ以上の電極リングのスタックを含む
ことを特徴とする、請求項１７に記載の電池（２１０）。
【請求項１９】
前記第１の電極（２２２）は単一の固体物を含む
ことを特徴とする、請求項１３に記載の電池（２１０）。
【請求項２０】
前記第１の電極（２２２）は、２つ又はそれ以上の固体物のスタックを含む
ことを特徴とする、請求項１３に記載の電池（２１０）。
【請求項２１】
前記第２の電極（２２６）は、外部表面と内部表面とを有する固体物を含み、
前記第２の電極（２２６）の外部表面と前記ハウジングの直立壁（１２）とが、キャビティを定め、
前記第１の電極（２２２）は、前記第２の電極（２２６）の外部表面と前記ハウジングの直立壁とによって定められた前記キャビティ内に配置され、前記第２の電極（２２６）の外部表面と前記第１及び第２の電極間に配置された前記セパレータとの形状によって定められた内部形状を有し、更に前記ハウジングの直立壁の形状によって定められた外部形状を有し、
前記第２の電極（１２６；２２６）は複数のローブ（１２７）を含み、各ローブは、半径方向外側に延びて、且つ前記第２の電極（２２６）の外部表面に複数の凹型領域を形成する
ことを特徴とする、請求項１に記載の電池（２１０）。
【請求項２２】
前記第２の電極（２２６）は正電極である
ことを特徴とする、請求項２１に記載の電池（２１０）。
【請求項２３】
前記電池は円筒形であり、前記第１の電極（２２２）の外径は、１２．７ｍｍと１４．０ｍｍを含めたこれらの間である
ことを特徴とする、請求項２２に記載の電池（２１０）。
【請求項２４】
直立側壁（１２）を有するハウジングと、
第１の活性材料を含む第１の電極（２２２）と、
第２の活性材料を含み、前記第１の電極内に配置された第２の電極（２２６）と、
前記第１の電極と第２の電極（２２２；２２６）との間に配置されたセパレータ（２２４）と、
電解質と、
を備えた請求項１に記載の電池（２１０）であって、
前記電池は一次電池であり、前記第１の活性材料は二酸化マンガンから構成され、前記第２の活性材料は亜鉛から構成され、前記電解質は水酸化カリウムの水溶液から構成され、
少なくとも前記第１の電極（２２２）は、外部表面と内部表面とを有する固体電極体を含み、
前記第１の電極（２２２）の内部表面は、前記第２の電極が配置されるキャビティの表面を定め、
前記キャビティの表面は、前記第１の電極（２２２）の表面に複数の凹型領域及び凸型領域を形成する、各々がベース及び先端を有する、半径方向に延びる複数のローブを含み、
該凸型領域の各々は、０．７６ｍｍ（０．０３０インチ）より小さい半径の無い表面を有し、
前記凹型領域の各々は、ベースと、開口端部と、前記電池の長手方向軸（３６）から延びる半径方向の中心線と、前記半径方向の中心線に垂直な幅とを有し、
前記ベースから前記開口端部までの前記半径方向の中心線に沿った距離が増大するときに、前記凹型領域の幅は増加せず、
前記第１の電極（２２２）は、最小半径方向厚さｄ2を有し、各電極のローブ（２２３）は、前記第１の電極（２２２）の表面上の２点間で測定されたローブ幅ｄ1を有し、前記２点の各々は、前記電池の長手方向軸（３６）から前記第１の電極（２２２）の最も外側の内部表面までの半径方向距離と、前記電池の長手方向軸（３６）から前記第１の電極（２２２）の最も内側の内部表面までの半径方向距離との平均値に等しい前記電池の長手方向軸からの半径方向距離であり、
比率ｄ1：ｄ2が２．５：１より大きいが、８．１：１より大きくない
ことを特徴とする、請求項１に記載の電池（２１０）。
【請求項２５】
各凸型表面が、１．５２４ｍｍ（０．０６０インチ）より小さい半径が無い
ことを特徴とする、請求項２４に記載の電池。
【請求項２６】
ｄ1：ｄ2が、少なくとも３．０：１である
ことを特徴とする、請求項２４に記載の電池。
【請求項２７】
ｄ1：ｄ2が、少なくとも４．０：１であり
ことを特徴とする、請求項２４に記載の電池。
【請求項２８】
前記第１の電極（２２２）は、単一の固体物を含み、ｄ1：ｄ2が少なくとも６．５：１である
ことを特徴とする、請求項２７に記載の電池。
【請求項２９】
前記第１の電極のローブ（２２３）によって形成された各凹型領域は、前記電池の長手方向軸（３６）から延びる半径方向の中心線と、前記半径方向の中心線に垂直で、前記半径方向の中心線から隣接する第１の電極ローブ（２２３）の前記外部表面までの距離ｗ1とを有し、
前記距離ｗ1は、前記電池の長手方向軸（３６）からの半径方向距離が増大するときに増大する
ことを特徴とする、請求項２４に記載の電池（２１０）。
【請求項３０】
前記第１の電極（２２２）は、単一の固体物から構成される
ことを特徴とする、請求項２９に記載の電池（２１０）。
【請求項３１】
前記第１の電極（２２２）は、２つ又はそれ以上の固体物のスタックを含む
ことを特徴とする、請求項２９に記載の電池（２１０）。
【請求項３２】
前記第２の電極（２２６）は固体物から構成され、
前記第２の電極のローブ（２２７）によって形成された各凹型領域は、前記電池の長手方向軸（３６）から延びる半径方向の中心線と、前記半径方向の中心線に垂直で、前記半径方向の中心線から隣接する第２の電極ローブ（２２７）の前記外部表面までの距離ｗ2とを有し、
前記距離ｗ2は、前記電池の長手方向軸（３６）からの半径方向距離が増大するときに減少する
ことを特徴とする、請求項２４に記載の電池（２１０）。